(57)【要約】【課題】スピーカーから、保持しているデータを音信号として放出するスピーカー内蔵型の非接触データキャリアを提供する。更に、内蔵電池を備え、内蔵電池の電力消費を抑えることができ、且つ、盗難防止に効果的な非接触データキャリアを提供する。更にまた、非接触データキャリアを用い、盗難防止に好適な物品移動管理システムを提供する。【解決手段】スピーカー内蔵型の非接触データキャリアであって、保持しているデータを、スピーカーから、音信号として放出するものであって、電池を内蔵しており、且つ、通信する無線電波から音信号放出動作を行うための電力を供給されるもので、通信する無線電波の電力供給範囲内である場合には、該無線電波から電力を供給されて音信号放出動作を行い、通信する無線電波の電力供給範囲内でない場合には、内蔵する電池にて音信号放出動作を行うものである。【選択図】  図１
2004252521.tif 000002
【特許請求の範囲】
【請求項１】
スピーカー内蔵型の非接触データキャリアであって、保持しているデータを、スピーカーから、音信号として放出するものであることを特徴とする非接触データキャリア。
【請求項２】
請求項１において、音信号放出動作を行うための電源となる電池を内蔵し、且つ、通信する無線電波から音信号放出動作を行うための電力を供給されるもので、通信する無線電波の電力供給範囲内である場合には、該無線電波から電力を供給されて音信号放出動作を行い、通信する無線電波の電力供給範囲内でない場合には、内蔵する電池にて音信号放出動作を行うものであることを特徴とする非接触データキャリア。
【請求項３】
請求項１ないし２において、非接触ＩＣタグであることを特徴とする非接触データキャリア。
【請求項４】
非接触データキャリアを物品あるいはその包装体に添付ないし配設して、物品の移動を管理する物品移動管理システムであって、保持しているデータを、スピーカーから、音信号として放出する非接触データキャリアに通信する無線電波により電力を供給する無線電力供給源と、非接触データキャリアから送信された音信号を受信し、情報を取得する情報取得部とを備えており、非接触データキャリアは、電池を内蔵しており、通信する無線電波の電力供給範囲内である場合には、該無線電波から電力を供給されて音信号放出動作を行い、通信する無線電波の電力供給範囲内でない場合には、内蔵する電池にて音信号放出動作を行うものであり、情報取得部は、スピーカーから放出された音信号を受信するマイクと、マイクにより受信されたデータを解析する音声解析部とを有するものであることを特徴とする物品移動管理システム。
【請求項５】
請求項４において、非接触データキャリアが非接触ＩＣタグであることを特徴とする物品移動管理システム。
【発明の詳細な説明】
【０００１】
【発明の属する技術分野】
本発明は、スピーカー内蔵型の非接触データキャリアに関し、特に、通信する無線電波の電力供給範囲からはずれたときに、内蔵電池で音信号放出動作を行う非接触データキャリアと、これを用いた物品移動管理システムに関する。
【０００２】
【従来の技術】
情報の機密性の面からＩＣカードが次第に普及されつつ中、近年では、読み書き装置（リーダライタ）と接触せずに情報の授受を行う非接触型のＩＣカードが提案されている。
中でも、外部の読み書き装置との信号交換を、あるいは信号交換と電力供給とを電磁波により行う方式のものが一般的である。
一方、データを搭載したＩＣを、アンテナコイルと接続した、シート状ないし札状の非接触式のＩＣタグが、近年、種々提案され、商品や包装箱等に付け、万引き防止、物流システム等に利用されるようになってきた。
【０００３】
最近では、データキャリアであるＩＣチップの端子面上にアンテナを設けた、即ちコイルオンチップ型の、半導体チップまたは半導体チップモジュールの試験品が提供され、それを使用した非接触式ＩＣタグや非接触式ＩＣカードが提案されている。
このような非接触ＩＣカードや非接触式ＩＣタグ等の非接触式データキャリア装置では、外部リーダライタと信号交換用のブースターアンテナコイルを設け、且つ、これを一次コイル（ブースターアンテナとも言う）として、これと電磁結合するための二次コイルを設けたコイルオンチップ型のデータキャリア用半導体チップあるいは他のデータキャリアモジュールとを備えて、非接触方式を実現する方法が、通常となつている。
【０００４】
ところで、従来より、盗難や万引き防止用途を目的として、「共振式」のタグあるいはメモリを付加した非接触式ＩＣタグ等など、非接触で検知する盗難防止用タグが実用化されている。
通常は、例えば、医薬化粧品や食料品等の商品のパッケージに貼付して不正に持ち出された場合は、所定のゲートのセンサーに感応して警告を発するようにされている。
そして、正規に購入された商品の場合は、所定のゲートのセンサーが感応しないようレジ近傍でタグを無効化する処理を行っている。
しかし、このような盗難防止方法、非接触式ＩＣタグは、所定のゲートを通過しなければ、盗難防止用として役に立たず、特に、高価な商品については、その盗難防止が重要で、良い盗難防止方法が求められていた。
また、従来のこのような盗難防止方法におけるゲートの場合、リーダは無線式で、無線プロトコルを使用しているため、非接触式ＩＣタグ等からの通信手段は複雑であり、電波法を順守しなければいけないという制限があり、また、シールドにより遮断されてしまうというような問題もあった。
【０００５】
【特許文献１】
特開２００２−１３３５４３号公報
【０００６】
【発明が解決しようとする課題】
上記のように、従来の、所定のゲートと非接触式ＩＣタグ等を用いた盗難防止方法では十分ではなく、より良い盗難防止方法が求められていた。
また、無線式のリーダを用いた、リーダによる非接触式ＩＣタグ等との送受信方法においては、通信手段は複雑となり、電波法を順守しなければいけないという制限があり、シールドにより簡単に遮断されてしまうというような問題もあり、これらの対応が求められていた。
本発明は、これらに対応するもので、具体的には、スピーカーから、保持しているデータを音信号として放出するスピーカー内蔵型の非接触データキャリアを提供しようとするものである。
更に、内蔵電池を備え、内蔵電池の電力消費を抑えることができ、且つ、盗難防止に効果的な非接触データキャリアを提供しようとするものである。
更にまた、非接触データキャリアを用い、盗難防止に好適な物品移動管理システムを提供しようとするものである。
【０００７】
【課題を解決するための手段】
本発明の非接触データキャリアは、スピーカー内蔵型の非接触データキャリアであって、保持しているデータを、スピーカーから、音信号として放出するものであることを特徴とするものである。
そして、上記において、音信号放出動作を行うための電源となる電池を内蔵し、且つ、通信する無線電波から音信号放出動作を行うための電力を供給されるもので、通信する無線電波の電力供給範囲内である場合には、該無線電波から電力を供給されて音信号放出動作を行い、通信する無線電波の電力供給範囲内でない場合には、内蔵する電池にて音信号放出動作を行うものであることを特徴とするものである。
そしてまた、上記において、非接触ＩＣタグであることを特徴とするものである。
【０００８】
また、本発明の物品移動管理システムは、非接触データキャリアを物品あるいはその包装体に添付ないし配設して、物品の移動を管理する物品移動管理システムであって、保持しているデータを、スピーカーから、音信号として放出する非接触データキャリアに通信する無線電波により電力を供給する無線電力供給源と、非接触データキャリアから送信された音信号を受信し、情報を取得する情報取得部とを備えており、非接触データキャリアは、電池を内蔵しており、通信する無線電波の電力供給範囲内である場合には、該無線電波から電力を供給されて音信号放出動作を行い、通信する無線電波の電力供給範囲内でない場合には、内蔵する電池にて音信号放出動作を行うものであり、情報取得部は、スピーカーから放出された音信号を受信するマイクと、マイクにより受信されたデータを解析する音声解析部とを有するものであることを特徴とするものである。
そしてまた、上記において、非接触データキャリアが非接触ＩＣタグであることを特徴とするものである。
【０００９】
【作用】
本発明の非接触データキャリアは、上記のような構成にすることによって、従来の、無線式のリーダを用いたリーダによる非接触式ＩＣタグ等との送受信方法における、通信手段の複雑化の問題、電波法の順守の制限の問題、シールドによる遮の問題等がなく、且つ、従来の、所定のゲートと非接触タグ等を用いた盗難防止方法に比べ、より効果的な盗難防止方法を実施できる非接触データキャリアの提供を可能とするものである。
具体的には、スピーカー内蔵型の非接触データキャリアであって、前記スピーカーから、保持しているデータを音信号として放出するものであることにより、更に具体的には、音信号放出動作を行うための電源となる電池を内蔵し、且つ、通信する無線電波から音信号放出動作を行うための電力を供給されるもので、通信する無線電波の電力供給範囲内である場合には、該無線電波から電力を供給されて音信号放出動作を行い、通信する無線電波の電力供給範囲内でない場合には、内蔵する電池にて音信号放出動作を行うものであることにより、これを達成している。
即ち、スピーカーを内蔵し、スピーカーから、保持しているデータを音信号として放出する、音によるデータの送信であるため、無線式のリーダを必要としない。
また、電力供給用の通信する無線電波の電力供給範囲である場合には、該無線電波から電力を供給されて音信号放出動作を行い、通信する無線電波の電力供給範囲からはずれた場合には、内蔵電池で音信号放出動作を行うものであることにより、電力供給範囲からはずれた場合における、音信号放出動作のデータを盗難防止用のデータとすることにより、盗難防止効果を得ることができる。
非接触データキャリアとしては、非接触ＩＣタグが挙げられるが、これに限定はされない。
勿論、非接触ＩＣカードも含まれる。
【００１０】
本発明の物品移動管理システムは、上記のような構成にすることによって、無線式のリーダを用い、無線による非接触ＩＣタグ等との送受信を行う、従来のゲート式のシステムと比べ、盗難防止をより効果的とする非接触データキャリアのデータ送受信システムの提供を可能とするものである。
【００１１】
【発明の実施の形態】
本発明の実施の形態例を図に基づいて説明する。
図１（ａ）は本発明の非接触データキャリアの実施の形態の第１の例の要部である音信号放出部とそれの動作回路部の概略構成図で、図１（ｂ）は図１（ａ）において動作回路部の１例を具体的に示した図で、図２（ａ）は電力供給範囲内である場合のスピーカー動作を説明するための図で、図２（ｂ）は電力供給範囲内でない場合のスピーカー動作を説明するための図で、図３（ａ）は本発明の非接触データキャリアの実施の形態の第２の例の要部である音信号放出部とそれの動作回路部の概略構成図で、図３（ｂ）は図３（ａ）において動作回路部の１例を具体的に示した図で、図４は本発明の物品移動管理システムの実施の形態の１例を説明するための概略図である。
図１中、１００は非接触ＩＣタグ（非接触データキャリアとも言う）、１０５が動作回路部、１１０は共振アンテナ回路部、１１１はコイル、１１２はコンデンサ、１２０は整流平滑化回路部、１２１はダイオード、１２２はコンデンサ、１２３は抵抗、１３０はスイッチング回路部、１３１はｐＭＯＳスイッチ（負荷インバータとも言う）、１３２は抵抗、１３３、１３４はインバータ、１４０は音声放出部、１４１は主電源スイッチ、１４２は内蔵電池（一次電池とも言う）、１４３はスピーカー、１４３Ａは音信号、１６０は電力供給源、１６１は電波、１６２は電力供給範囲、１７１は物品、１８０は情報取得部、１８１はマイク、１８２は音声解析部である。
尚、図１中、Ａ１、Ａ２、Ａ３、Ａ４は、回路配線上の位置を示す。
【００１２】
先ず、本発明の非接触データキャリアの実施の形態の第１の例を、図１に基づいて説明する。
図１に示す第１の例の非接触データキャリアは、スピーカー内蔵型の非接触ＩＣタグであって、スピーカーから保持しているデータを音信号として放出する音信号放出動作を行うもので、音信号放出動作を行うための電源となる一次電池を内蔵し、且つ、通信する無線電波から音信号放出動作を行うための電力を供給されるものである。
そして、通信する無線電波の電力供給範囲内である場合には、該無線電波から電力を供給されて音信号放出動作を行い、通信する無線電波の電力供給範囲内でない場合には、内蔵する電池にて音信号放出動作を行うものであり、非接触ＩＣタグ１００と通信する無線電波の電力供給範囲との位置関係にかかわらず、音信号放出動作を行うことができるものである。
音信号放出動作を行うための音信号放出部１４０は、電源スイッチ１４１、内蔵電池１４２、スピーカー１４３を備え、音信号放出部１４０の音信号放出動作を行うための動作回路１０５は、通信する無線電波を受信するための共振アンテナ回路部１１０と、共振アンテナ回路部により受信された受信信号を整流し、平滑化するための、整流平滑化回路部１２０と、整流平滑化回路部により、整流され、平滑化され得られた直流電圧を元に、音信号放出部１４０の音信号放出動作を制御するためのスイッチング回路部１３０とを備えたものである。
共振アンテナ回路部１１０はＬＣ回路からなり、整流平滑化回路部１２０はダイオードブリッジとＣＲ回路を備えたもので、スイッチング回路部１３０は、ｐＭＯＳスイッチ（負荷インバータ）１３１と、該ｐＭＯＳスイッチ１３１の出力を入力とする２個のＣＭＯＳインバータ１３３の直列接続からなる。
通信する無線電波の電力供給範囲内である場合には、Ａ２点からの電位を、直接、あるいは、これを分圧して所望の電圧に変換して、スピーカー１４３による音信号放出動作のための電源とし音信号放出動作を行い、通信する無線電波の電力供給範囲内でない場合には、内蔵する電池を電源として音信号放出動作を行う。
【００１３】
スイッチング回路部１３０は、入力動作電圧Ｖｇ（Ａ２の電位）が所定の電圧Ｖｔｈ（ｐＭＯＳスイッチ１３１のしきい値電圧に相当するもので、以下しきい値電圧とも言う）以上である場合に、音声信号放出部１４０の電源スイッチ１４１をスイッチオフし、入力動作電圧Ｖｇが所定の電圧Ｖｔｈ以上でない場合に、音声信号放出部１４０の電源スイッチ１４１をスイッチオンするものである。
電源スイッチ１４１がスイッチオンすることにより、内蔵電池１４２を電源として音声信号放出動作が行われる。
尚、Ａ１はソース側に接続し、Ａ２はゲート側に接続し、Ａ４はドレイン側に接続している。
【００１４】
書込まれ、保持されているメモリのデータは、図示していない音信号放出部１４０の回路（これを音信号生成部と言う）によりスピーカー入力用信号に変換され、更に、音信号としてスピーカーから放出される。
尚、第１の例の非接触データキャリアは、データの書込みを無線通信にて行うが、ここでは、無線通信動作を行うための回路は、通常、メモリ、制御部、送信回路、受信回路、送受信用のアンテナコイル等からなるが、一般的なものが適用でき、図１には図示していない。
無線通信用のリーダライタと送受信により第１の例の非接触データキャリアのメモリへのデータの書込みができる。
【００１５】
一次電池からなる内蔵電池としては、ｐＭＯＳスイッチに、所定の動作用の電圧を供給できるもので、できるだけ小型のものが好ましい。
小型電池としては、ボタン型電池（偏平型とも言う）として、アルカリ電池、酸化銀電池、リチウム電池、亜鉛電池等が挙げられ、また、超小型のものとしては、例えば、腕時計の電源等に用いられる銀電池が挙げられるが、これらに限定はされない。
【００１６】
第１の例の非接触データキャリアの内蔵電池動作回路の動作を、以下、簡単に説明する。
非接触データキャリアに通信する電波により十分な電力が供給されている状態のとき、即ち、共振アンテナ回路部１１０は、電波を受信し、電波は交流電圧から直流電圧に変換され、スイッチング回路部１３０への入力電圧Ｖｇ（Ａ２の電位）がＶｔｈ以上である場合、ｐＭＯＳスイッチ１３１は、入力電圧Ｖｇの電圧レベルがしきい値電圧Ｖｔｈ未満でＯＮ状態となり、入力電圧Ｖｇの電圧レベルがしきい値電圧Ｖｔｈ以上である時はＯＦＦ状態となっているため、その出力はＬｏｗの状態となり、インバータ１３４の出力もＬｏｗ状態となる。
インバータ１３４の出力がＬｏｗのとき、主電源スイッチ１４１がＯＦＦされ、内蔵電池１４２よる音信号放出動作を行なわれない。
ＶＤＤ／ＧＮＤ間に電流は流れず、内蔵電池１４３の電力は消費されない。
しかし、このときは、Ａ２点からの電位を、直接、あるいは、これを分圧して所望の電圧に変換して、スピーカー１４３による音信号放出動作のための電源とし、音信号放出動作が行なわれる。
この状態が、図２（ａ）に示す状態である。
一方、非接触ＩＣタグに通信する電波により十分な電力が供給されていない状態のとき、即ち、非接触ＩＣタグが、移動され、通信する無線電波の電力供給範囲からはずれている場合、共振アンテナ回路部１１０は、電波を受信できなくなるため、入力電圧Ｖｇは、ｐＭＯＳスイッチ１３１のしきい電圧Ｖｔｈのレベルを保てなくなり、電圧は０に近づくため、この場合は、ｐＭＯＳスイッチ１３１は、ＯＮ状態に遷移して、その出力はＨｉｇｈの状態となり、インバータ１３４の出力もＨｉｇｈ状態となる。
音信号放出部１４０は、このように、インバータ１３４の出力の状態変化を検知して、インバータ１３４の出力がＨｉｇｈ状態のとき、内蔵電池１４２により音信号放出動作を開始する。
この状態が、図２（ｂ）に示す状態である。
尚、ここでは、インバータ１３４の出力がＨｉｇｈのとき、主電源スイッチ１４１がＯＮされ、内蔵電池１４２を電源として、音信号放出動作を開始し、インバータ１３４の出力がＬｏｗのとき、主電源スイッチ１４１がＯＦＦされ、内蔵電池１４２よる音信号放出動作を停止するとともに、回路上すべての部分での内蔵電池１４２の電力消費が停止する。
【００１７】
本例では、単体の一次電池を内蔵電池１４２として使用したが、内蔵電池として、通信する無線電波の電力供給範囲内である場合、該無線電波を電圧供給源として充電される方式の二次電池に代える形態を採ることもできる。
即ち、図１における内蔵電池１４２として、二次電池を使用する場合で、例えば、図１においてＡ２−Ａ３間の電圧、図示していないＣＲ回路にかけて、その出力にて、二次電池を充電する形態を採ることもできる。
【００１８】
次いで、本発明の非接触データキャリアの実施の形態の第２の例を、図３に基づいて説明する。
図３に示す第２の例の非接触データキャリアは、スピーカー内蔵型の非接触ＩＣタグであって、保持しているデータを、スピーカーから、音信号として放出するもので、一次電池を内蔵しており、通信する無線電波の電力供給範囲内である場合には、音信号放出動作を行なわず、通信する無線電波の電力供給範囲内でない場合に、内蔵する電池にて音信号放出動作を行うものである。
即ち、非接触タグと通信する無線電波の電力供給範囲との位置関係に応じて、音信号放出動作を行うものである。
第２の例の場合も、音信号放出動作を行うための音信号放出部１４０と、音信号放出部１４０の音信号放出動作を行うための動作回路１０５は、基本的には第１の例と同様であるが、第１の例とは異なり、第２の例の場合は、整流され、平滑化され得られた直流電圧を、直接、あるいは、これを分圧し、電源として音信号放出動作を行うものではない。
本例は、内蔵する一次電池を電源として、通信する無線電波の電力供給範囲内でない場合にのみ、内蔵する電池にて音信号放出動作を行うものである。
各部については、基本的に第１の例と同様で、説明を省略する。
【００１９】
第２の例の非接触データキャリアの内蔵電池動作回路の動作を、以下、簡単に説明する。
非接触データキャリアに通信する電波により十分な電力が供給されている状態のとき、即ち、共振アンテナ回路部１１０は、電波を受信し、電波は交流電圧から直流電圧に変換され、スイッチング回路部１３０への入力電圧Ｖｇ（Ａ２の電位）がしきい値電圧Ｖｔｈ以上である場合、ｐＭＯＳスイッチ１３１は、入力電圧Ｖｇの電圧レベルがしきい値電圧Ｖｔｈ未満でＯＮ状態となり、入力電圧Ｖｇの電圧レベルがしきい値電圧Ｖｔｈ以上である時はＯＦＦ状態となっているため、その出力はＬｏｗの状態となり、インバータ１３４の出力もＬｏｗ状態となる。
、インバータ１３４の出力がＬｏｗのとき、主電源スイッチ１４１がＯＦＦされ、内蔵電池１４２よる音信号放出動作を行なわれない。
ＶＤＤ／ＧＮＤ間に電流は流れず、内蔵電池１４２の電力は消費されない。
第２の例の非接触データキャリアには、音信号放出動作を行うための電源は他になく、非接触データキャリアに通信する電波により十分な電力が供給されている状態のときは、音信号放出動作を行なわれない。
一方、非接触ＩＣタグに通信する電波により十分な電力が供給されていない状態のとき、即ち、非接触ＩＣタグが、盗難等により移動され、通信する無線電波の電力供給範囲からはずれている場合、共振アンテナ回路部１１０は、電波を受信できなくなるため、入力電圧Ｖｇは、ｐＭＯＳスイッチ１３１のしきい値電圧Ｖｔｈのレベルを保てなくなり、電圧は０に近づくため、この場合は、ｐＭＯＳスイッチ１３１は、ＯＮ状態に遷移して、その出力はＨｉｇｈの状態となり、インバータ１３４の出力もＨｉｇｈ状態となり、音信号放出部１４０は、内蔵電池１４２により音信号放出動作を開始する。
結局、第２の例の非接触データキャリアにおいては、非接触データキャリアに通信する電波により十分な電力が供給されている状態のときは、音信号放出動作を行なわれず、非接触データキャリアに通信する電波により十分な電力が供給されていない状態のときには、内蔵電池１４２により音信号放出動作が行われる。
【００２０】
本例では、ｐＭＯＳスイッチ１３１に接続するＣＭＯＳインバータを２個（インバータ１３３、１３４に相当）としたが、偶数個であれば良くこれに限定されない。
尚、ＣＭＯＳインバータは、波形の整形のために配設している。
回路上のしきい値電圧ＶｔｈはＡ１点でＭＯＳを多段接続する等で様々な方法で調節可能である。
また、第１の例、第２の例の非接触データキャリアは、非接触ＩＣタグであるが、データキャリアとしてはＩＣタグに限定されず、非接触ＩＣカードに、第１の例、第２の例と同様の、内蔵電池動作回路を設けたものも、変形例として挙げられる。
【００２１】
次に、本発明の物品移動管理システムの実施の形態の１例を、図４に基づいて、簡単に説明する。
本例は、先に述べた第２の例の非接触ＩＣタグを、物品あるいはその包装体に添付ないし配設して、物品の移動を管理する盗難防止用の物品移動管理システムで、図４（ａ）に示すように、非接触ＩＣタグ１００を、電波１６１による電力供給範囲１６２内になるように、物品１７１を所定の位置に置き、物品の移動を監視するシステムである。
そして、保持している盗難防止データを、スピーカーから、音信号として放出できる先に述べた、図３にその要部示す第２の例の非接触データキャリア１００と、該非接触データキャリア１００に通信する無線電波により電力を供給する無線電力供給源１６０と、非接触データキャリア１００から送信された音信号を受信し、情報を取得する情報取得部１８０とを備えており、非接触データキャリア１００は、音信号放出動作を行うための電源となる一次電池（図３の１４２に相当）を内蔵し、且つ、通信する無線電波から音信号放出動作を行うための電力を供給されるもので、通信する無線電波の電力供給範囲内である場合には、該無線電波から電力を供給されて音信号放出動作を行い、通信する無線電波の電力供給範囲内でない場合には、内蔵する電池にて音信号放出動作を行うものであり、情報取得部１８０は、スピーカー（図３の１４３に相当）から放出された音信号を受信するマイク１８１と、マイク１８１により受信されたデータを解析する音声解析部１８２とを有するものである。
音声解析部１８２は、マイク１８１からのアナログ音信号をデジタル音信号として、情報を取得するものである。
本例においては、図４（ａ）に示すように、非接触ＩＣタグ１００を、電波１６１による電力供給範囲１６２内になるように、物品１７１を所定の位置に置いた場合、非接触ＩＣタグ１００の音信号放出動作は行われず、図４（ｂ）に示すように、物品１７１が、盗難等により移動され、非接触ＩＣタグ１００が、電波１６１による電力供給範囲１６２内でなくなった場合、内蔵電池（図３の１４２に相当）を電源として、非接触ＩＣタグ１００の音信号放出動作が行われる。
【００２２】
【発明の効果】
本発明は、上記のように、従来の、無線式のリーダを用いたリーダによる非接触式ＩＣタグ等との送受信方法における、通信手段の複雑化の問題、電波法の順守の制限の問題、シールドによる遮の問題等がなく、且つ、従来の、所定のゲートと非接触タグ等を用いた盗難防止方法に比べ、より効果的な盗難防止方法を実施できる非接触データキャリアの提供を可能とした。
同時に、このような非接触データキャリアを用いた、盗難防止に好適な物品移動管理システムの提供を可能とした。
【図面の簡単な説明】
【図１】図１（ａ）は本発明の非接触データキャリアの実施の形態の第１の例の要部である音信号放出部とそれの動作回路部の概略構成図で、図１（ｂ）は図１（ａ）において動作回路部の１例を具体的に示した図である。
【図２】図２（ａ）は電力供給範囲内である場合のスピーカー動作を説明するための図で、図２（ｂ）は電力供給範囲内でない場合のスピーカー動作を説明するための図である。
【図３】図３（ａ）は本発明の非接触データキャリアの実施の形態の第２の例の要部である音信号放出部とそれの動作回路部の概略構成図である。
【図４】本発明の物品移動管理システムの実施の形態の１例を説明するための概略図である。
【符号の説明】
１００              非接触ＩＣタグ（非接触データキャリアとも言う）
１０５              動作回路部
１１０              共振アンテナ回路部
１１１              コイル
１１２              コンデンサ
１２０              整流平滑化回路部
１２１              ダイオード
１２２              コンデンサ
１２３              抵抗
１３０              スイッチング回路部
１３１              ｐＭＯＳスイッチ（負荷インバータとも言う）
１３２              抵抗
１３３、１３４      インバータ
１４０              音声放出部
１４１              主電源スイッチ
１４２              内蔵電池（一次電池とも言う）
１４３              スピーカー
１４３Ａ            音信号
１６０              電力供給源
１６１              電波
１６２              電力供給範囲
１７１              物品
１８０              情報取得部
１８１              マイク
１８２              音声解析部
【図１】
2004252521.tif 000003
【図２】
2004252521.tif 000004
【図３】
2004252521.tif 000005
【図４】
2004252521.tif 000006